(57)【要約】      （修正有）【課題】ウイックの状態等を検知することが可能な湿度検知装置を提案する。【解決手段】水を溜める水溜部２３と、温度センサー２８と、水溜部２３と温度センサー２８の間に跨がって掛け渡されたウイック２５を配置して湿球側温度を検知する湿度検知装置１３において、温度センサー２８は、導電性を有する保護管を備え、ウイック２５から保護管を経由する電気伝導経路の電気特性を検知する電気特性検知手段６０を有することを特徴とする。【選択図】図２
2020165828.tif 000002
【特許請求の範囲】
【請求項１】
水を溜める水溜部と、温度センサーを有し、前記温度センサーにウイックを装着して湿球側温度を検知する湿度検知装置において、前記温度センサーは、導電性を有する保護管を備え、前記温度センサーに装着される前記ウイックから前記保護管を経由する電気伝導経路を形成させると共に、当該電気伝導経路の電気特性を検知する電気特性検知手段を有することを特徴とする湿度検知装置。
【請求項２】
前記水溜部内に電極が配され、当該電極と前記保護管の間の前記電気特性が検知されることを特徴とする請求項１に記載の湿度検知装置。
【請求項３】
水を溜める水溜部と、温度センサーを有し、前記温度センサーにウイックを掛け渡して湿球側温度を検知する湿度検知装置において、前記温度センサーは、導電性を有する保護管を備え、前記水溜部及び／又は前記水溜部内には導電部があり、当該導電部と前記保護管の間の電気特性を検知する電気特性検知手段を有することを特徴とする湿度検知装置。
【請求項４】
前記温度センサーには前記ウイックを掛けるウイック掛け渡し領域があり、
前記ウイック掛け渡し領域に検温部が位置し、
前記ウイック掛け渡し領域に位置する前記保護管の一部に絶縁部材が配されていることを特徴とする請求項１乃至３のいずれかに記載の湿度検知装置。
【請求項５】
前記温度センサーは棒状であり、前記温度センサーは片持ち状であって略水平姿勢に保持され、前記温度センサーには前記ウイックを掛けるウイック掛け渡し領域があり、前記ウイック掛け渡し領域から外れた位置に前記電気特性を検知する信号線が取り付けられていることを特徴とする請求項１乃至４のいずれかに記載の湿度検知装置。
【請求項６】
前記電気特性が所定の条件を満足した場合に所定の報知をすることを特徴とする請求項１乃至５のいずれかに記載の湿度検知装置。
【請求項７】
供試体が配置される試験室と、当該試験室内の湿度を調整する空調機器と、請求項１乃至６のいずれかに記載の湿度検知装置を有し、少なくとも当該湿度検知装置が検知する湿球側温度に基づいて前記空調機器が制御されることを特徴とする環境試験装置。
【発明の詳細な説明】
【技術分野】
【０００１】
本発明は、乾湿球式湿度計の湿球側温度を測定する湿度検知装置に関するものである。また本発明は、試験室内に所望の環境を創出することができる環境試験装置に関するものである。
【背景技術】
【０００２】
製品や素材等の性能や耐久性を試験する装置として、環境試験装置が知られている（特許文献１）。環境試験装置には、試験対象たる供試体が載置される試験室を備え、この試験室内の温度や湿度を所望の環境に調整することができるものがある。
環境試験装置には、温度センサーと湿度センサーが設けられたものがあり、当該温度センサー及び湿度センサーの検出値が、設定環境の温度及び湿度に近づく様に空調機器が制御されるものがある。
【０００３】
湿度計の一形態として、乾湿球式湿度計と称されるものがある。
乾湿球式湿度計とは、検温部を乾燥状態にして温度を測定した乾球側温度と、検温部を湿らせた状態で温度を測定した湿球側温度を測定し、両者を比較して相対湿度を検知するものである。
なお「乾球」「湿球」の用語は、温度センサーとして棒温度計を使用していた時代の名残であり、「球」は検温部を意味する。即ち近年では、温度を電気信号に変換して検知する必要から、温度センサーとして熱電対や測温抵抗体が使用される場合がある。熱電対や測温抵抗体には、多くの場合「球」形状の部材はなく、検温部が「乾球」「湿球」に相当する。
【０００４】
乾湿球式湿度計は、本来、乾球側温度センサーと湿球側温度センサーが一組となるものであるが、乾球側の温度測定を試験室内の温度を検知する温度センサーで兼用することも多い。そのため単に湿球側温度を測定する部材を湿度センサーや湿度検知装置と称する場合がある。
本明細書中においてはこの例に習い、湿球側温度を測定する装置を湿度検知装置と称している。
湿度検知装置の一例として、水を含ませた布（ウイック）で温度センサーの検温部を覆い、その状態での試験室等の温度を検知するものがある。
即ち水を溜める水溜部を有し、当該水溜部にウイックの端部が浸され、毛細管現象を利用して水を吸い上げ、検温部を湿らせる。そしてこの状態で温度を測定する。
【先行技術文献】
【特許文献】
【０００５】
【特許文献１】特開２０１４−６６５９３号公報
【発明の概要】
【発明が解決しようとする課題】
【０００６】
上記した形態の湿度検知装置では、ウイックを常に水で湿らせた状態に維持する必要がある。しかしながら従来技術においては、環境試験の実施中にウイックの濡れ具合を検知することが困難であるという問題があった。
即ち前記した様にウイックは常に湿らせた状態とする必要があるが、水溜部の水が枯れてウイックが乾燥してしまう場合がある。またウイックが劣化して、検温部を十分に湿らせることができない状態となっている場合もある。そのため正確な湿球側温度を検知することができなくなってしまう場合がある。
従来技術においては、環境試験の実施中にこの様な状況が発生しても、それを知ることが困難であるという問題があった。
本発明は従来技術の上記した問題点に注目し、湿度検知装置の状態等を検知することが可能な湿度検知装置を提案することを課題とするものである。
【課題を解決するための手段】
【０００７】
上記した課題を解決するための態様は、水を溜める水溜部と、温度センサーを有し、前記温度センサーにウイックを装着して湿球側温度を検知する湿度検知装置において、前記温度センサーは、導電性を有する保護管を備え、前記温度センサーに装着される前記ウイックから前記保護管を経由する電気伝導経路を形成させると共に、当該電気伝導経路の電気特性を検知する電気特性検知手段を有することを特徴とする湿度検知装置である。
【０００８】
ここで電気特性とは、例えば電気抵抗、電気伝導度、インピーダンス、電流量、両端電圧等である。
本態様の湿度検知装置は、乾湿球式湿度計の湿球側湿度を測定する装置である。
本本態様の湿度検知装置は、公知の湿度検知装置と同様、水を溜める水溜部と、温度センサーを有し、温度センサーにウイックを装着して使用されるものである。また温度センサーは、導電性を有する保護管を備えている。
本態様の湿度検知装置は電気特性検知手段を有し、当該電気特性検知手段によってウイックから保護管を経由する電気伝導経路の電気特性が検知される。
仮に水溜部内に水があり、ウイックが水で濡れている場合には、前記電気伝導経路が開き、電流が流れる状態となって所定の電気特性を示す。例えば所定の電気抵抗値が示されたり、所定の両端電圧が発生する。
これに対して水溜部の水が枯れたり、ウイックに傷みがあれば、前記した電気伝導経路の電気特性が変わる。例えば電気抵抗値が増大する。そのため抵抗値等の変化によってウイックの濡れ具合や傷み具合を間接的に知ることができる。
【０００９】
上記した態様において、前記水溜部内に電極が配され、当該電極と前記保護管の間の前記電気特性が検知されることが望ましい。
【００１０】
本態様によると、ウイックから保護管を経由する電気伝導経路の電気特性を、より正確に検知することができる。
【００１１】
同様の課題を解決するためのもう一つの態様は、水を溜める水溜部と、温度センサーを有し、前記温度センサーにウイックを掛け渡して湿球側温度を検知する湿度検知装置において、前記温度センサーは、導電性を有する保護管を備え、前記水溜部及び／又は前記水溜部内には導電部があり、当該導電部と前記保護管の間の電気特性を検知する電気特性検知手段を有することを特徴とする湿度検知装置である。
【００１２】
本態様の湿度検知装置においても、ウイックから保護管を経由する電気伝導経路の電気特性を検知することができる。
【００１３】
上記した態様において、前記温度センサーには前記ウイックを掛けるウイック掛け渡し領域があり、前記ウイック掛け渡し領域に検温部が位置し、前記ウイック掛け渡し領域に位置する前記保護管の一部に絶縁部材が配されていることが望ましい。
【００１４】
一般に熱電対や測温抵抗体が保護管内に収容されてなる温度センサーにおいては、熱電対等の感熱部が、保護管の一部の領域に内蔵されている。例えば熱電対の感熱部は、異種金属接合部であり、測温抵抗体における感熱部は、測温抵抗体そのものであるが、これらは保護管の一部の領域に収容されている。そのため保護管を有する温度センサーにおいては、実際の検温部（感熱部周辺の領域）が保護管の一部の領域に限られる場合がある。
そして、保護管が金属製である場合は、保護管の総ての部分に導電性があり、ウイックを経由して検温部を通らない形で保護管に電流が流れ、所定の電気特性を示す可能性がある。
本態様の湿度検知装置では、保護管に絶縁部材を設けているため、電気伝導経路を検温部を経由するものとし、湿度検知装置の状態をより正確に検知することができる。
【００１５】
上記した態様において、前記温度センサーは棒状であり、前記温度センサーは片持ち状であって略水平姿勢に保持され、前記温度センサーには前記ウイックを掛けるウイック掛け渡し領域があり、前記ウイック掛け渡し領域から外れた位置に前記電気特性を検知する信号線が取り付けられていることが望ましい。
【００１６】
本態様の湿度検知装置では、温度センサーにウイック掛け渡し領域があり、ウイック掛け渡し領域から外れた位置に信号線が取り付けられている。
そのためウイックを掛ける際に信号線が邪魔にならない。
【００１７】
上記した態様において、前記電気特性が所定の条件を満足した場合に所定の報知をすることが望ましい。
【００１８】
本態様によると、ウイック等の異常を検知することができる。
【００１９】
環境試験装置に関する態様は、供試体が配置される試験室と、当該試験室内の湿度を調整する空調機器と、上記したいずれかに記載の湿度検知装置を有し、少なくとも当該湿度検知装置が検知する湿球側温度に基づいて前記空調機器が制御されることを特徴とする環境試験装置である。
【００２０】
本態様によると、環境試験の実施中に湿度検知装置の異常等を検知することができる。
【発明の効果】
【００２１】
本発明の湿度検知装置によると、湿度検知装置の状態等を検知することが可能である。又本態様の環境試験装置によると、環境試験の実施中に湿度検知装置の異常等を検知することができる。
【図面の簡単な説明】
【００２２】
【図１】本発明の実施形態の環境試験装置を概念的に示した断面図である。
【図２】本実施形態の湿度検知装置の斜視図である。
【図３】図２の湿度検知装置で採用する温度センサーの断面図である。
【図４】図２の湿度検知装置の断面の拡大図である。
【図５】本発明の他の実施形態の湿度検知装置の断面図である。
【図６】本発明のさらに他の実施形態の湿度検知装置の断面図である。
【発明を実施するための形態】
【００２３】
以下さらに本発明の実施形態について説明する。
本実施形態の環境試験装置１は、特徴的な湿度検知装置１３を有している。特徴的構成に先立って、環境試験装置１の概要について説明する。
環境試験装置１は、図１に示すように供試体１８が配される試験室５を備え、試験室５内を所望の温度や湿度の環境に調整することができるものである。
環境試験装置１は、断熱壁２によって覆われた断熱槽３を有している。そして当該断熱槽３の一部に試験室５が形成されている。試験室５は、供試体１８を設置する空間である。試験室５の正面には扉２１が設けられている。
環境試験装置１は、さらに空調機器１７と送風機１０を備えている。空調機器１７は、加湿装置６、冷却装置７及び加熱装置８によって構成されている。
【００２４】
環境試験装置１には、試験室５と環状に連通する空調通風路１５があり、当該空調通風路１５に前記した空調機器１７と送風機１０が内蔵されている。
【００２５】
空調通風路１５は、断熱槽３の一部に形成され、空気吹き出し部１６と空気導入部２０の２箇所で試験室５と連通している。
そのため送風機１０を起動すると、試験室５内の空気が空気導入部２０から空調通風路１５内に導入される。そして空調通風路１５が通風状態となり、空調機器１７に空気が接触して熱交換や湿度調整がなされ、空気吹き出し部１６から試験室５内に調整後の空気が吹き出される。
また空調通風路１５の空気吹き出し部１６の近傍に、温度センサー１２と湿度検知装置１３が設けられている。本実施形態は図示しない演算装置を有し、温度センサー１２が検知する温度を乾球側温度とし、湿度検知装置１３が検知する温度を湿球側温度として相対湿度が演算される。
環境試験装置１を使用する際には、送風機１０を運転して空調通風路１５内を通風状態とし、温度センサー１２で検知される温度と、演算によって得られる湿度が設定環境の温度及び湿度に近づく様に空調機器１７が制御される。
【００２６】
即ち送風機１０を運転することによって、空気導入部２０から試験室５内の空気が空調通風路１５に導入され、空調通風路１５内の空調機器１７を通過して温度・湿度が整えられる。そして温度・湿度を調整された空気が、空気吹き出し部１６から試験室５に戻され、試験室５内に所望の温度・湿度の環境が作られる。
【００２７】
次に、温度センサー１２と湿度検知装置１３について説明する。
本実施形態では、空調通風路１５の空気吹き出し部１６の近傍に、温度センサー１２と湿度検知装置１３が設けられている。温度センサー１２は、従来公知の熱電対やサーミスタ等の温度センサーである。
湿度検知装置１３は、湿球温度を検知するものである。前記した様に、温度センサー１２が検知する乾球側温度と、湿度検知装置１３の温度センサー２８（図２参照）が検知する湿球側温度が、図示しない制御装置に入力され、両者の差から湿度が算出される。
【００２８】
湿度検知装置１３は、前記した様に湿球温度を検出するものであり、湿度検知手段の一部を構成する。
湿度検知装置１３は、図２に示すように、湿球用の温度センサー２８を有している。なお乾球側温度を測定する温度センサー１２と区別するため、湿度検知装置１３に付属する温度センサーを湿球用温度センサー２８と称する。
湿度検知装置１３は、さらに湿球用温度センサー２８を覆うウイック２５と、検知用水貯留部３７を有している。検知用水貯留部３７には水溜部２３がある。
水溜部２３は、ウイックパンと称される部材であり、水を溜め置く容器である。
【００２９】
湿球用温度センサー２８は、熱電対や測温抵抗体等を利用した温度センサーであり、棒状を呈している。
本実施形態で採用される湿球用温度センサー２８は、シース熱電対と称されるものであり、図３の様に保護管３０内に熱電対の感熱部３１が内蔵されている。保護管３０は、ステンレス等の金属で作られた管であり、導電性を有している。
前記した熱電対の感熱部３１は、保護管３０の先端部分にあり、保護管３０の先端部分が湿球用温度センサー２８の検温部２６となっている。
即ち熱電対の感熱部３１が保護管３０の先端にあり、導線２２が保護管３０の中に挿通されていて保護管３０の基端側から突出している。また保護管３０の内部には、図示しない粉末が充填されている。
【００３０】
本実施形態では保護管３０の周囲に絶縁層３２が形成されている。絶縁層３２は、例えば絶縁塗料や絶縁材製のチューブであり、保護管３０の中間部を取り巻いている。即ち保護管３０の先端部と、基端部近傍を除く領域に絶縁層３２が設けられている。
湿度検知装置１３は、ウイック２５の一部を検知用水貯留部３７の水溜部２３内の水に浸し、ウイック２５の他の一部を湿球用温度センサー２８に接触させて湿球側温度を検知するものである。
【００３１】
ウイック２５は、水分を保持できる布やガーゼでありシート状である。ウイック２５は、雰囲気温度や雰囲気湿度等の環境に応じて、その保持された水分を気化し得るものであればその他のいかなるものでも構わない。
【００３２】
検知用水貯留部３７は、水溜部２３を有している。
水溜部２３は、上部が開口する凹部を有し、当該凹部内に水を溜めることができる。水溜部２３には図示しない給水路から水が供給される。余剰の水は、排水される。
【００３３】
湿球用温度センサー２８は、図示しない支持手段によって、検知用水貯留部３７の上方に固定されている。
湿球用温度センサー２８は、片持ち状であり、且つ水平姿勢に支持されている。即ち保護管３０の基端側が支持され、先端の検温部２６は自由端側となっている。
湿球用温度センサー２８には、ウイック２５が引っ掛けられ、ウイック２５の端部が水溜部２３内に垂らされる。保護管３０の水溜部２３の上にある領域が、ウイック掛け渡し領域３６となる。
本実施形態では、前記した様に保護管３０の周囲に絶縁層３２が形成されている。絶縁層３２が設けられた領域は、ウイック掛け渡し領域３６の検温部２６を除く全ての領域を含んでいる。
【００３４】
そして保護管３０のウイック掛け渡し領域３６に、ウイック２５が引っ掛けられている。
ウイック２５は、ガーゼ等が半分に折り曲げられ、折り曲げられた状態における折り返し部分（股の部分）が湿球用温度センサー２８のウイック掛け渡し領域３６に引っ掛けられ、ウイック２５の湿球用温度センサー２８から垂れ下がった垂れ下がり部が、水溜部２３の中の水に浸されている。ウイック２５は、毛細管現象によって水を吸い上げ、湿球用温度センサー２８の検温部２６を含む領域を湿らせる。
【００３５】
本実施形態の湿度検知装置１３は、特徴的構成として、検知用水貯留部３７の水溜部２３内に電極（導電部）５０が配されている。そして当該電極５０には信号線５１が取り付けられている。
また湿球用温度センサー２８の保護管３０の基端部近傍に、信号線５２が取り付けられている。そして電極５０側の信号線５１と、湿球用温度センサー２８の保護管３０側の信号線５２が、電気特性検知手段６０に接続されている。
ここで電気特性検知手段６０は、電気抵抗を測定する機器であり、信号線５１、５２の間に微弱な電量を流して、抵抗を測定するものである。
【００３６】
即ち水溜部２３内には水があり、電極５０は水溜部２３内の水に漬かっている。また水溜部２３内の水にウイック２５の一部が漬かっており、ウイック２５は、毛細管現象により水を含んでいる。
さらにウイック２５は、湿球用温度センサー２８の保護管３０に掛け渡されている。ここで、保護管３０は金属であるが、保護管３０の大部分は絶縁層３２で覆われており、導電性はない。ただし保護管３０の先端の検温部２６には絶縁層３２はなく、保護管３０が露出している。そして当該検温部２６にウイック２５の一部が被さっている。
従って、電極５０、水溜部２３内の水、ウイック２５、保護管３０の先端の検温部２６、保護管３０の絶縁層３２で覆われた領域によって構成される一連の電気伝導経路４０が開かれる。そして、電気特性検知手段６０から  信号線５１、信号線５２によって当該一連の電気伝導経路４０に微弱な電流が流され、当該電気伝導経路４０の抵抗値が測定される。
【００３７】
ここで水溜部２３内に水があり、ウイック２５が当該水に漬かっており、ウイック２５に傷みがなく十分に水を含んでおり、且つウイック２５が保護管３０の先端の検温部２６と接しているならば、一連の電気伝導経路４０に電気が流れ、抵抗値は比較的低い。
一方、水溜部２３内の水が無かったり、水量が足りない場合は、抵抗値が高くなる。またウイック２５に傷や破れ、薄くなった部分、黴、焼け、異物の付着等があった場合にも抵抗値が高い。
【００３８】
また本実施形態の環境試験装置１では、図示しない制御装置内に比較回路があり、検知した抵抗値と、所定の閾値とが比較される。
制御装置の記憶装置内には、例えば、複数の閾値が記憶されている。例えば限界閾値、劣化基準閾値及び注意換気閾値がある。
限界閾値は、抵抗値が無限大であり、電気伝導経路４０が断線状態であることを示す閾値である。劣化基準閾値は、電気伝導経路４０の抵抗値が正常値に比べて高く、ウイック２５に傷や破れ等の劣化が疑われ、それが相当進んでいることを示す閾値である。注意換気閾値はウイック２５がある程度劣化したことを示す閾値である。
【００３９】
また本実施形態の環境試験装置１では、液晶画面その他の表示画面を有する表示装置６１があり、電気伝導経路４０の抵抗値と閾値を比較し、必要な報知がなされる。
例えば、電気伝導経路４０の抵抗値が、限界閾値を越えた場合には、湿度検知が不能となっている可能性が高いので、表示装置６１に警報が表示されて報知され、音声等でも所定の報知がなされる。
【００４０】
電気伝導経路４０の抵抗値が、劣化基準閾値を越えた場合には、ウイック２５の傷みが進んでいたり、水溜部２３内の水が不足していることが考えられるので、ウイック２５の取り替えや、給水確認を促す表示（報知）がなされる。
【００４１】
電気伝導経路４０の抵抗値が、注意閾値を越えた場合には、ウイック２５に傷みがある等が考えられるので、確認を促す表示（報知）がなされる。
【００４２】
本実施形態の環境試験装置１では、ウイック２５の劣化の進み具合や給水不足等を監視することができる。
またウイック２５に直接電極が付けられるのではなく、湿球用温度センサー２８の保護管３０を導線の一部としてウイック２５の電気特性を監視するため、ウイック２５を取り替える際に別途の作業を要しない。
また保護管３０のウイック掛け渡し領域３６から外れた位置に信号線５２が取り付けられているので、ウイック２５を取り替える際に信号線５２が邪魔にならない。
また湿球用温度センサー２８の保護管３０を導線の一部として利用するので、部品点数が少ない。
【００４３】
以上説明した実施形態では、水溜部２３内に電極５０を入れたが、水溜部２３自体に導電性を持たせ、水溜部２３に信号線５１を取り付けてもよい。即ち水溜部２３の内面を導電部とし、信号線５１を取り付けてもよい。
例えば、水溜部２３を樹脂で成型し、その内部に金属を溶射して導電部としてもよい。また水溜部２３自体を金属で成型して導電部としてもよい。
【００４４】
図５は、本発明の変形例であり、簡便な構造の湿度検知装置６２を示している。
図５に示す湿度検知装置６２では、ウイック２５にクリップ６３が取り付けられており、当該クリップ６３を導電部として機能させている。クリップ６３には、前記した信号線５１が取り付けられている。
【００４５】
図５に示す実施形態では、ウイック２５の右側の縦辺であって、水に漬かっていない部分にクリップ６３が取り付けられているが、クリップ６３の取り付け位置は限定されるものではない。
例えば、ウイック２５の縦辺であって、水に漬かっている部分にクリップ６３を取り付けてもよい。ウイック２５の下辺にクリップ６３を取り付けてもよい。ウイック２５の左辺の下付近や、中間部、上部にクリップ６３を取り付けてもよい。
【００４６】
図５に示す実施形態で採用したクリップ６３は、公知の目玉クリップである。クリップ６３の構造は限定されるものではなく、弾性を有していてウイック２５を挟むことができれば足りる。例えばワニ口を使用することもできる。
クリップ６３を導電部とする場合には、当該クリップ６３は金属製等の導電性を有するものであることが望ましい。
ウイック２５等に取り付ける導電部は、クリップ６３に限定されるものではなく、ウイック２５の一部に金属線を縫い込んだり、ハトメやピン等をウイック２５に取り付けて導電部とするものであってもよい。
また、信号線５１の先端の被覆を取り除いて裸線とし、当該裸線の部分をクリップ６３でウイック２５に接触させてもよい。この場合は、信号線５１の端部が導電部として機能する。
【００４７】
湿球用温度センサー２８の検温部２６は、図３の様に保護管３０の先端部にある場合が多いが、図６に示す様に、先端部よりも中央寄りの位置や、保護管３０の中間部に検温部２６があってもよい。
図３の様に、検温部２６の周囲には絶縁層３２が無いことが望ましいが、図６に示す様に、絶縁層３２が検温部２６の周囲を覆っていてもよい。ウイック掛け渡し領域３６に位置する保護管３０の一部に絶縁層（絶縁部材）３２が配されており、ウイック掛け渡し領域３６の一部に保護管３０が露出していることが望ましい。
なお保護管３０の表面に絶縁層３２があることは必須ではなく、絶縁層３２は無くてもよい。
【００４８】
上記した実施形態では、図４の様に信号線５２が保護管３０の基端部近傍に取り付けられているが、図６に示す様な中央寄りの位置やその他の位置に信号線５２が取り付けられていてもよい。例えば、試験室５内に信号線５２の接続部があってもよい。
また上記した実施形態では、信号線５２は保護管３０の外周側に接続されているが、信号線５２を保護管３０の内周面に接続し、保護管３０の端部から信号線５２を引き出してもよい。
信号線５２を保護管３０の内周面に接続する場合における信号線５２の接続位置は任意である。例えば保護管３０の基端部近傍の位置や、中央寄りの位置、あるいは検温部近傍の位置等、いずれの位置に信号線５２が接続されていてもよい。
【００４９】
前記した閾値は、固定的なものではなく、ウイック２５の素材、厚さ等に応じて変更されることが望ましい。また水溜部２３に供給される水の水質によっても変更されることが望ましい。
例えば、ウイック２５を新規に取り替えた直後に試験運転を行い、当該試験運転時の電気特性が記憶され、当該記憶された電気特性に基づいて、各閾値が自動設定されてもよい。
【００５０】
また前記した電気伝導経路４０の抵抗値が、ある程度高くなっている際には、検温部２６の湿りが十分でないことが予想され、検温部２６からの水の蒸発が十分でないことが予想されるので、抵抗値に応じて検知湿度を自動補正することも考えられる。
例えば、電気伝導経路４０の抵抗値が高い場合には、検温部２６からの水の蒸発が十分に行われないため蒸発熱による温度低下が低く、本来の湿球温度よりも高い温度が検知されると予想される。その結果、湿度検知手段は、実際の湿度よりも低いと誤検知してしまう可能性がある。
そこで、電気伝導経路４０の抵抗値が高い場合には、検知湿度を上方に自動補正し、空調機器１７を制御することが考えられる。
【符号の説明】
【００５１】
１    環境試験装置
５    試験室
１３  湿度検知装置
１７  空調機器
２３  水溜部
２５  ウイック
２６  検温部
２８  湿球用温度センサー
３２  絶縁層
３６  ウイック掛け渡し領域
３７  検知用水貯留部
４０  電気伝導経路
５０  電極（導電部材）
５１、５２  信号線
６０  電気特性検知手段
【図１】
2020165828.tif 000003
【図２】
2020165828.tif 000004
【図３】
2020165828.tif 000005
【図４】
2020165828.tif 000006
【図５】
2020165828.tif 000007
【図６】
2020165828.tif 000008